【誤訳訂正書】
【提出日】平成30年12月19日(2018.12.19)
【誤訳訂正１】
【訂正対象書類名】特許請求の範囲
【訂正対象項目名】全文
【訂正方法】変更
【訂正の内容】
【特許請求の範囲】
【請求項１】
ユーザの皮膚表面領域に垂直な周期的機械力を印加し、ユーザの肌表面領域に肌用調剤を送達するように構成され、前記肌用調剤を保持する凹型の前面を有するアプリケータチップを含むアプリケータアセンブリ；及び
前記アプリケータアセンブリに隣接する又は前記アプリケータアセンブリ内部の少なくとも一の電磁エネルギー源を含み、ユーザの肌の表面領域内の一又は複数の皮層に浸透するために十分な性質及び継続時間を有する連続的電磁エネルギー刺激を送達するように構成された電磁エネルギーアセンブリ
を備える装置。
【請求項２】
前記少なくとも一の電磁エネルギー源が、前記アプリケータアセンブリの外縁に隣接している、請求項１に記載の装置。
【請求項３】
前記少なくとも一の電磁エネルギー源が、複数の発光ダイオードを備え、少なくとも、５９０±１０ナノメートルのピーク放射波長を有する第１の連続的電磁エネルギー刺激と、８５０ナノメートルから８７０ナノメートルの範囲のピーク放射波長を有する第２の連続的電磁エネルギー刺激とを、同時に又は連続して生成するように構成されている、請求項１に記載の装置。
【請求項４】
前記少なくとも一の電磁エネルギー源が、狭帯域多色放射を介して単一の支配的放射波長を生成するように構成されている、請求項１に記載の装置。
【請求項５】
前記単一の支配的放射波長が５９０±１０ｎｍである、請求項４に記載の装置。
【請求項６】
前記少なくとも一の電磁エネルギー源が、少なくとも一の発光ダイオード（ＬＥＤ）を含む、請求項１に記載の装置。
【請求項７】
前記少なくとも一の発光ダイオード（ＬＥＤ）が、５９０±１０ナノメートルの支配的放射波長で発光する第１の発光ダイオード（ＬＥＤ）と、８５０〜８７０ナノメートルで発光する第２の発光ダイオード（ＬＥＤ）とを含む、請求項６に記載の装置。
【請求項８】
前記第１の発光ダイオード（ＬＥＤ）は黄色の可視光を放射し、前記第２の発光ダイオード（ＬＥＤ）は赤外光を放射する、請求項７に記載の装置。
【請求項９】
前記第１の発光ダイオード（ＬＥＤ）：前記第２の発光ダイオード（ＬＥＤ）の電力放射の比が４：１である、請求項８に記載の装置。
【請求項１０】
前記第１の発光ダイオード（ＬＥＤ）は１平方センチメートル当たり４ミリワット（ｍＷ／ｃｍ２）で発光し、前記第２の発光ダイオード（ＬＥＤ）は１ｍＷ／ｃｍ２で発光する、請求項９に記載の装置。
【請求項１１】
前記肌表面領域において受け取られる前記電磁エネルギーアセンブリのエネルギーフルエンスが４Ｊ／ｃｍ２未満である、請求項１に記載の装置。
【請求項１２】
前記電磁エネルギーアセンブリが更に、前記肌の上の照射領域を限定するように構成されたフードを備える、請求項１に記載の装置。
【請求項１３】
前記電磁エネルギーアセンブリが更に、前記電磁エネルギーアセンブリから放射される電磁エネルギー刺激を集束させて、前記肌の上の照射領域を限定するように構成されたレンズを含む、請求項１に記載の装置。
【請求項１４】
前記少なくとも一の電磁エネルギー源が、前記アプリケータアセンブリを囲む複数の電磁エネルギー源を含む、請求項１に記載の装置。
【請求項１５】
前記電磁エネルギーアセンブリが更に、前記電磁エネルギーアセンブリから前記肌の上に放射された電磁エネルギーを拡散させて前記肌の上の照射領域を広げるように構成された拡散レンズを含む、請求項１４に記載の装置。
【請求項１６】
前記少なくとも一の電磁エネルギー源が、前記アプリケータアセンブリ内部に含まれている、請求項１に記載の装置。
【請求項１７】
アプリケータアセンブリ及び電磁エネルギーアセンブリを備える装置であって、
前記アプリケータアセンブリはアプリケータチップを含み、前記アプリケータチップは、ユーザの皮膚表面領域に垂直な周期的機械力を印加し、 ユーザの皮膚と接触する前記アプリケータチップの表面積の量が、前記アプリケータチップの各運動サイクルの間、ユーザの皮膚表面と平行な方向の前記アプリケータチップの運動の量と共に増加するように、皮膚領域の表面にほぼ垂直及び平行な運動の振幅を有する機械力を印加することによりユーザの肌表面領域に肌用調剤を送達するように構成され、
前記電磁エネルギーアセンブリは、前記アプリケータアセンブリに隣接する又は前記アプリケータアセンブリの内部の少なくとも一の電磁エネルギー源を含み、ユーザの肌の表面領域内の一又は複数の皮層に浸透するために十分な性質及び継続時間を有する連続的電磁エネルギー刺激を送達するように構成され、
前記アプリケータチップによって前記肌表面領域に送達された前記肌用調剤は、前記連続的電磁エネルギー刺激と相互作用するように構成された、装置。
【誤訳訂正２】
【訂正対象書類名】明細書
【訂正対象項目名】００１５
【訂正方法】変更
【訂正の内容】
【００１５】
［００１５］一実施形態によれば、電磁エネルギーアセンブリは更に、肌の上の照射領域を限定するように構成されたフードを備える。
【誤訳訂正３】
【訂正対象書類名】明細書
【訂正対象項目名】００１６
【訂正方法】変更
【訂正の内容】
【００１６】
［００１６］一実施形態によれば、電磁エネルギーアセンブリは更に、電磁エネルギーアセンブリから放射される電磁エネルギー刺激を集束させて肌の上の照射領域を限定するように構成されたレンズを含む。
【誤訳訂正４】
【訂正対象書類名】明細書
【訂正対象項目名】００１８
【訂正方法】変更
【訂正の内容】
【００１８】
［００１８］一実施形態によれば、電磁エネルギーアセンブリは更に、電磁エネルギーアセンブリから肌の上に放射された電磁エネルギーを拡散させて肌の上の照射領域を広げるように構成された拡散レンズを含む。
【誤訳訂正５】
【訂正対象書類名】明細書
【訂正対象項目名】００２０
【訂正方法】変更
【訂正の内容】
【００２０】
［００２０］一実施形態によれば、ユーザの肌表面領域に圧縮力を生じさせ、肌用調剤の浸透性に影響を及ぼすために十分な性質及び継続時間を有する周期的機械力をユーザの肌表面領域に印加することを含む、スキンケア装置により実施されるスキンケア方法が提供される。方法は更に、ユーザの肌表面領域を、ユーザの肌表面領域内の一又は複数の皮層に浸透するために十分な性質及び継続時間を有する連続的電磁エネルギー刺激を用いて照射することを含む。
【誤訳訂正６】
【訂正対象書類名】明細書
【訂正対象項目名】００２４
【訂正方法】変更
【訂正の内容】
【００２４】
［００２４］一実施形態によれば、ユーザの肌表面領域を、ユーザの肌表面領域内の少なくとも一の又は複数の皮層に浸透するために十分な性質及び継続時間を有する連続的電磁エネルギー刺激を用いて照射することを含む方法は、少なくとも、約５９０ナノメートルのピーク放射波長を有する第１の連続的電磁エネルギー刺激と、約８５０ナノメートルから約８７０ナノメートルの範囲のピーク放射波長を有する第２の連続的電磁エネルギー刺激を、同時に又は連続して放射することを含む。
【誤訳訂正７】
【訂正対象書類名】明細書
【訂正対象項目名】００２５
【訂正方法】変更
【訂正の内容】
【００２５】
［００２５］一実施形態によれば、ユーザの肌表面領域を、ユーザの肌表面領域内の少なくとも一の又は複数の皮層に浸透するために十分な性質及び継続時間を有する連続的電磁エネルギー刺激を用いて照射することを含む方法は、少なくとも、１平方センチメートル当たり約４ミリワット（ｍＷ／ｃｍ２）のピーク放射照度を有する第１の連続的電磁照射刺激と、約１ｍＷ／ｃｍ２のピーク放射照度を有する第２の連続的電磁照射刺激とを、同時に又は連続して放射することを含む。
【誤訳訂正８】
【訂正対象書類名】明細書
【訂正対象項目名】００８５
【訂正方法】変更
【訂正の内容】
【００８５】
［００１００］上記教示の観点から、本発明の多数の修正例及び変形例が可能である。したがって、特許請求の範囲内において、特許請求される発明は、本明細書に具体的に記載さているもの以外の方法でも実施されうる。
また、本願は以下に記載する態様を含む。
（態様１）
ユーザの皮膚表面領域に垂直な周期的機械力を印加し、ユーザの肌表面領域に肌用調剤を送達するように構成されたアプリケータチップを含むアプリケータアセンブリ；及び
前記アプリケータアセンブリに隣接する又は前記アプリケータアセンブリ内部の少なくとも一の電磁エネルギー源を含み、ユーザの肌の表面領域内の一又は複数の皮層に浸透するために十分な性質及び継続時間を有する連続的電磁エネルギー刺激を送達するように構成された電磁エネルギーアセンブリ
を備える装置。
（態様２）
前記少なくとも一の電磁エネルギー源が、前記アプリケータアセンブリの外縁に隣接している、態様１に記載の装置。
（態様３）
前記少なくとも一の電磁エネルギー源が、複数の発光ダイオードを備え、少なくとも、約５９０ナノメートルのピーク放射波長を有する第１の連続的電磁エネルギー刺激と、約８５０ナノメートルから約８７０ナノメートルの範囲のピーク放射波長を有する第２の連続的電磁エネルギー刺激とを、同時に又は連続して生成するように構成されている、態様１に記載の装置。
（態様４）
前記少なくとも一の電磁エネルギー源が、狭帯域多色放射を介して単一の支配的放射波長を生成するように構成されている、態様１に記載の装置。
（態様５）
前記単一の支配的放射波長が約５９０ｎｍである、態様４に記載の装置。
（態様６）
前記少なくとも一の電磁エネルギー源が、少なくとも一の発光ダイオード（ＬＥＤ）を含む、態様１に記載の装置。
（態様７）
前記少なくとも一の発光ダイオード（ＬＥＤ）が、約５９０ナノメートルの支配的放射波長で発光する第１の発光ダイオード（ＬＥＤ）と、約８５０〜８７０ナノメートルで発光する第２の発光ダイオード（ＬＥＤ）とを含む、態様６に記載の装置。
（態様８）
前記第１の発光ダイオード（ＬＥＤ）は黄色の可視光を放射し、前記第２の発光ダイオード（ＬＥＤ）は赤外光を放射する、態様７に記載の装置。
（態様９）
前記第１の発光ダイオード（ＬＥＤ）：前記第２の発光ダイオード（ＬＥＤ）の電力放射の比が４：１である、態様８に記載の装置。
（態様１０）
前記第１の発光ダイオード（ＬＥＤ）は１平方センチメートル当たり約４ミリワット（ｍＷ／ｃｍ２）で発光し、前記第２の発光ダイオード（ＬＥＤ）は約１ｍＷ／ｃｍ２で発光する、態様９に記載の装置。
（態様１１）
前記肌表面領域において受け取られる前記電磁エネルギーアセンブリのエネルギーフルエンスが約４Ｊ／ｃｍ２未満である、態様１に記載の装置。
（態様１２）
前記電磁エネルギーアセンブリが更に、前記肌の上の照射領域を限定するように構成されたフードを備える、態様１に記載の装置。
（態様１３）
前記電磁エネルギーアセンブリが更に、前記電磁エネルギーアセンブリから放射される電磁エネルギー刺激を集束させて、前記肌の上の照射領域を限定するように構成されたレンズを含む、態様１に記載の装置。
（態様１４）
前記少なくとも一の電磁エネルギー源が、前記アプリケータアセンブリを囲む複数の電磁エネルギー源を含む、態様１に記載の装置。
（態様１５）
前記電磁エネルギーアセンブリが更に、前記電磁エネルギーアセンブリから前記肌の上に放射された電磁エネルギーを拡散させて前記肌の上の照射領域を広げるように構成された拡散レンズを含む、態様１４に記載の装置。
（態様１６）
前記少なくとも一の電磁エネルギー源が、前記アプリケータアセンブリ内部に含まれている、態様１に記載の装置。
（態様１７）
スキンケア装置によって実施されるスキンケア方法であって、
ユーザの肌の一領域に圧縮力を生じさせ、肌用調剤の浸透性に影響を及ぼすために十分な性質及び継続時間を有する周期的機械力をユーザの肌表面領域に印加すること；及び
ユーザの前記肌領域内の一又は複数の皮層に浸透するために十分な性質及び継続時間を有する連続的電磁エネルギー刺激を用いて、前記ユーザの肌領域を照射すること
を含む方法。
（態様１８）
ユーザの前記肌領域に圧縮力を生じさせ、肌用調剤の浸透性に影響を及ぼすために十分な性質及び継続時間を有する前記周期的機械力をユーザの前記肌領域に印加することが、前記肌領域に実質的に垂直な振動力を印加することを含む、態様１７に記載のスキンケア方法。
（態様１９）
ユーザの前記肌領域に圧縮力を生じさせ、肌用調剤の浸透性に影響を及ぼすために十分な性質及び継続時間を有する前記周期的機械力をユーザの前記肌領域に印加することが、前記肌領域の表面に垂直な運動の振幅が約０．０１インチから約０．０７５インチの範囲である、実質的に垂直な機械力を印加することを含む、態様１７に記載のスキンケア方法。
（態様２０）
ユーザの前記肌領域内の少なくとも一の又は複数の皮層に浸透するために十分な性質及び継続時間を有する連続的電磁エネルギー刺激を用いて前記ユーザの前記肌領域を照射することが、少なくとも、約５９０ナノメートルのピーク放射波長を有する第１の連続的電磁エネルギー刺激と、約８５０ナノメートルから約８７０ナノメートルの範囲のピーク放射波長を有する第２の連続的電磁エネルギー刺激とを、同時に又は連続して放射することを含む、態様１７に記載のスキンケア方法。
（態様２１）
ユーザの前記肌領域内の少なくとも一の又は複数の皮層に浸透するために十分な性質及び継続時間を有する連続的電磁エネルギー刺激を用いて前記ユーザの前記肌領域を照射することが、前記肌領域内の一又は複数の皮層に浸透し、前記肌領域内の一又は複数の表皮関連タンパク質、真皮表皮接合部関連タンパク質、又は真皮関連タンパク質の上方制御に影響を及ぼすために十分な性質及び継続時間を有する連続的電磁エネルギー刺激を送達することを含む、態様１７に記載のスキンケア方法。
（態様２２）
ユーザの前記肌領域内の少なくとも一の又は複数の皮層に浸透するために十分な性質及び継続時間を有する連続的電磁エネルギー刺激を用いて前記ユーザの前記肌領域を照射することが、一又は複数の皮層に浸透し、前記一又は複数の皮層内において一又は複数の活性剤を活性化させるために十分な性質及び継続時間を有する連続的電磁エネルギー刺激を送達することを含む、態様１７に記載のスキンケア方法。
（態様２３）
ユーザの前記肌領域内の少なくとも一の又は複数の皮層に浸透するために十分な性質及び継続時間を有する連続的電磁エネルギー刺激を用いて前記ユーザの前記肌領域を照射することが、少なくとも、１平方センチメートル当たり約４ミリワット（ｍＷ／ｃｍ２）のピーク放射照度を有する第１の連続的電磁照射刺激と、約１ｍＷ／ｃｍ２のピーク放射照度を有する第２の連続的電磁照射刺激とを、同時に又は連続して放射することを含む、態様１７に記載のスキンケア方法。